【手続補正書】
【提出日】平成22年9月2日(2010.9.2)
【手続補正１】
【補正対象書類名】特許請求の範囲
【補正対象項目名】全文
【補正方法】変更
【補正の内容】
【特許請求の範囲】
【請求項１】
被写体像から画像信号を生成する撮像手段と、
正立像に屈折するための光学系を介して、フォーカシングスクリーンに結像した被写体像を光学ファインダーに導くための第１の位置と、被写体像を前記撮像手段に導くための第２の位置とに移動可能なミラーと、
前記光学系を介して入射される光を測光するための測光手段と、
前記ミラーが前記第２の位置に移動された状態で、前記光学ファインダーから入射するファインダー逆入光を前記測光手段で測光し、その測光結果に応じて、前記撮像手段により生成された画像信号を表示するための表示手段の光量を制御する制御手段と
を有することを特徴とする撮像装置。
【請求項２】
前記表示手段は、画像信号を表示する液晶部と、前記液晶部を背面から照明するための光源を有し、
前記制御手段は、前記測光結果が所定の閾値より大きい場合に前記光源を消灯させるように制御することを特徴とする請求項１に記載の撮像装置。
【請求項３】
前記制御手段は、前記測光結果に応じて、前記表示手段の光量を段階的に変化させるように制御することを特徴とする請求項１または２に記載の撮像装置。
【請求項４】
被写体像から画像信号を生成する撮像手段と、正立像に屈折するための光学系を介して、フォーカシングスクリーンに結像した被写体像を光学ファインダーに導くための第１の位置と、被写体像を前記撮像手段に導くための第２の位置とに移動可能なミラーと、前記光学系を介して入射される光を測光するための測光手段とを有する撮像装置を制御する制御方法であって、
前記ミラーが前記第２の位置に移動された状態で、前記光学ファインダーから入射するファインダー逆入光を前記測光手段で測光し、その測光結果に応じて、前記撮像手段により生成された画像信号を表示するための表示手段の光量を制御するステップを有することを特徴とする撮像装置の制御方法。
【請求項５】
被写体像から画像信号を生成する撮像手段と、正立像に屈折するための光学系を介して、フォーカシングスクリーンに結像した被写体像を光学ファインダーに導くための第１の位置と、被写体像を前記撮像手段に導くための第２の位置とに移動可能なミラーと、前記光学系を介して入射される光を測光するための測光手段とを有する撮像装置を制御する制御方法をコンピュータに実行させるプログラムであって、
前記ミラーが前記第２の位置に移動された状態で、前記光学ファインダーから入射するファインダー逆入光を前記測光手段で測光し、その測光結果に応じて、前記撮像手段により生成された画像信号を表示するための表示手段の光量を制御するステップを有することを特徴とするプログラム。
【手続補正２】
【補正対象書類名】明細書
【補正対象項目名】発明の名称
【補正方法】変更
【補正の内容】
【発明の名称】撮像装置、制御方法及びプログラム
【手続補正３】
【補正対象書類名】明細書
【補正対象項目名】０００１
【補正方法】変更
【補正の内容】
【０００１】
本発明は、表示手段の光量を制御する技術に関する。
【手続補正４】
【補正対象書類名】明細書
【補正対象項目名】０００５
【補正方法】変更
【補正の内容】
【０００５】
そこで、本発明は、表示手段の視認性を向上させることを目的とする。
【手続補正５】
【補正対象書類名】明細書
【補正対象項目名】０００６
【補正方法】変更
【補正の内容】
【０００６】
本発明に係る撮像装置は、被写体像から画像信号を生成する撮像手段と、正立像に屈折するための光学系を介して、フォーカシングスクリーンに結像した被写体像を光学ファインダーに導くための第１の位置と、被写体像を前記撮像手段に導くための第２の位置とに移動可能なミラーと、前記光学系を介して入射される光を測光するための測光手段と、前記ミラーが前記第２の位置に移動された状態で、前記光学ファインダーから入射するファインダー逆入光を前記測光手段で測光し、その測光結果に応じて、前記撮像手段により生成された画像信号を表示するための表示手段の光量を制御する制御手段とを有することを特徴とする。
【手続補正６】
【補正対象書類名】明細書
【補正対象項目名】０００７
【補正方法】変更
【補正の内容】
【０００７】
また、本発明に係る撮像装置の制御方法は、被写体像から画像信号を生成する撮像手段と、正立像に屈折するための光学系を介して、フォーカシングスクリーンに結像した被写体像を光学ファインダーに導くための第１の位置と、被写体像を前記撮像手段に導くための第２の位置とに移動可能なミラーと、前記光学系を介して入射される光を測光するための測光手段とを有する撮像装置を制御する制御方法であって、前記ミラーが前記第２の位置に移動された状態で、前記光学ファインダーから入射するファインダー逆入光を前記測光手段で測光し、その測光結果に応じて、前記撮像手段により生成された画像信号を表示するための表示手段の光量を制御するステップを有することを特徴とする。
また、本発明に係る撮像装置の制御方法をコンピュータに実行させるプログラムは、被写体像から画像信号を生成する撮像手段と、正立像に屈折するための光学系を介して、フォーカシングスクリーンに結像した被写体像を光学ファインダーに導くための第１の位置と、被写体像を前記撮像手段に導くための第２の位置とに移動可能なミラーと、前記光学系を介して入射される光を測光するための測光手段とを有する撮像装置を制御する制御方法をコンピュータに実行させるプログラムであって、前記ミラーが前記第２の位置に移動された状態で、前記光学ファインダーから入射するファインダー逆入光を前記測光手段で測光し、その測光結果に応じて、前記撮像手段により生成された画像信号を表示するための表示手段の光量を制御するステップを有することを特徴とする。
【手続補正７】
【補正対象書類名】明細書
【補正対象項目名】０００８
【補正方法】変更
【補正の内容】
【０００８】
本発明によれば、表示手段の視認性を向上させることができる。
【手続補正８】
【補正対象書類名】明細書
【補正対象項目名】００１５
【補正方法】変更
【補正の内容】
【００１５】
１３はフォーカシングスクリーンで、撮影者は、ペンタプリズム１４とファインダー（光学ファインダー）１６を介して、フォーカシングスクリーン１３を観察することで、レンズユニット１００を通して得た被写体の光学像の焦点や構図の確認が可能となる。ペンタプリズム１４は、フォーカシングスクリーン１３に結像される被写体像を、撮影者が正立像として観察可能なように屈折させる光学系である。したがって、このようなものであれば、ミラーを貼り合わせて構成されるペンタミラーであっても良い。
【手続補正９】
【補正対象書類名】明細書
【補正対象項目名】００４０
【補正方法】変更
【補正の内容】
【００４０】
ステップＳ１２では、メモリー２８又は外部の記憶媒体に書き込まれた画像データを液晶表示部２３に表示させる。ライブビュー表示を行う場合は、マイクロコンピュータ３７の指示により、クイックリターンミラー１２はミラーアップ状態になると共に、フォーカルプレーンシャッター１７は、開いた状態になり且つ絞りは開放状態になる。その後、一定周期で撮像素子１９により画像信号が生成され、生成されたアナログ信号はＡ／Ｄ変換回路２０によりデジタル信号に変換される。このデジタル信号に対して、画像処理回路２１により、設定されているＩＳＯ値に基づいて画像処理が行われる。そして、画像処理が行われた画像データが液晶表示部２３に表示される。表示後に、ステップＳ１１により決定された光量でバックライトを点灯する。
【手続補正１０】
【補正対象書類名】明細書
【補正対象項目名】００４４
【補正方法】変更
【補正の内容】
【００４４】
その後、露光が開始され、光学フィルター１８によりある特定の周波数成分がカットされた光が撮像素子１９で受光され、画像信号が生成される。生成されたアナログ画像信号はＡ／Ｄ変換回路２０によりデジタル信号に変換され、画像処理回路２１により、設定されているＩＳＯ値に基づいて画像処理が行われる。